(57)【要約】【課題】ＩｏＴに対応させた両替機を提供する。【解決手段】紙幣または硬貨を、額面の小さい金種の形に換えて払い出す両替機１であって、ユーザーの操作に基づいて両替作業を行う各種機器を備えた両替機本体１１と、各種機器の作動状態を監視し、各種機器の作動状態にエラーが発生した際や、セキュリティ上の不具合を検知した際に、エラー情報やセキュリティ上の不具合情報を有線ＬＡＮ３１を介してインターネット５１経由で管理者の端末装置６１に送信する通信ボックス２１とを有している。【選択図】図３
0003226669.tif 000002
【実用新案登録請求の範囲】
【請求項１】
紙幣または硬貨を、額面の小さい金種の形に換えて払い出す両替機であって、ユーザーの操作に基づいて両替作業を行う各種機器を備えた両替機本体と、前記各種機器の作動状態を監視し、各種機器の作動状態にエラーが発生した際や、セキュリティ上の不具合を検知した際に、エラー情報やセキュリティ上の不具合情報をＬＡＮを介してインターネット経由で管理者の端末装置に送信する通信ボックスとを有することを特徴とする両替機。
【請求項２】
前記通信ボックスは、複数の前記端末装置に、前記エラー情報やセキュリティ上の不具合情報を送信可能であることを特徴とする請求項１記載の両替機。
【考案の詳細な説明】
【技術分野】
【０００１】
本考案は、両替機に関し、詳しくは、ＩｏＴ（Ｉｎｔｅｒｎｅｔ  ｏｆ  Ｔｈｉｎｇｓ）に対応させた両替機に関する。
【背景技術】
【０００２】
近年、ＩｏＴ（Ｉｎｔｅｒｎｅｔ  ｏｆ  Ｔｈｉｎｇｓ）というコンセプトが注目を浴びており、例えば、エアコンディショナーやテレビ、あるいは冷蔵庫といった電化製品の作動状態を、任意の利用者に携帯電話やスマートフォン等の端末装置を用いて通知するものが提案されている（例えば、特許文献１参照。）。
【先行技術文献】
【特許文献】
【０００３】
【特許文献１】特開２０１９−２１２２８２号公報
【考案の概要】
【考案が解決しようとする課題】
【０００４】
従来、無人営業を実施しているコインランドリー等で用いられる両替機は、両替作業を行う各種機器の作動状態にエラーが発生した際や、両替機をこじ開けて両替機本体内に納められた現金を盗むといった窃盗行為が発生した際に、即座に対応することが難しく、その状況をインターネットで通知させるＩｏＴに対応させた両替機の開発が望まれていた。
【０００５】
そこで本考案は、ＩｏＴに対応させた両替機を提供することを目的としている。
【課題を解決するための手段】
【０００６】
上記目的を達成するため、本考案の両替機は、紙幣または硬貨を、額面の小さい金種の形に換えて払い出す両替機であって、ユーザーの操作に基づいて両替作業を行う各種機器を備えた両替機本体と、前記各種機器の作動状態を監視し、各種機器の作動状態にエラーが発生した際や、セキュリティ上の不具合を検知した際に、エラー情報やセキュリティ上の不具合情報をＬＡＮを介してインターネット経由で管理者の端末装置に送信する通信ボックスとを有することを特徴としている。
【０００７】
また、前記通信ボックスは、複数の前記端末装置に、前記エラー情報やセキュリティ上の不具合情報を送信可能であると好適である。
【考案の効果】
【０００８】
本考案の両替機によれば、両替機本体の作動状態にエラーが発生した際、例えば、両替用の硬貨が不足したり、紙幣や硬貨が詰まったりした際に、通信ボックスを介してエラー情報が、インターネットを経由して、管理者が所有する任意の端末装置に電子メールで送信される。これにより、管理者は、電子メールで送られてきたエラー情報に基づいて遠隔からの適切な保守サポートを行うことができる。
【０００９】
また、両替機本体がこじ開けられたり、傾けられたりして窃盗行為が検知された際には、両替機本体に取り付けられたセンサが反応することにより、通信ボックスを介してセンサの反応情報が、インターネットを経由して、管理者が所有する任意の端末装置に電子メールで送信される。これにより、管理者は、この電子メールの情報に基づいて、状況の確認や警察に通報する等の盗難回避処置を行うことができる。
【００１０】
さらに、例えば、チェーン店の本部や、店舗のオーナーや、現場のサポート員といった居場所の異なる複数の管理者に端末装置をそれぞれ所持させることにより、本部や、オーナーや、サポート員等に同時に両替機本体の状況を通知することができ、保守サポート体制の強化や防犯体制の強化を図ることができる。
【図面の簡単な説明】
【００１１】
【図１】本考案の一形態例を示す両替機本体の斜視図である。
【図２】同じくドアを開いた状態の両替機本体の斜視図である。
【図３】同じく両替機のシステムの概略を示す説明図である。
【図４】同じく両替機本体のコントロールユニットを示す平面図である。
【図５】同じくエラーコードとエラー原因と対処要領とを示す説明図である。
【図６】同じく通信ボックスとコントロールユニットとの通信シーケンスの一例を示す説明図である。
【図７】同じく電子メールの一例を示す説明図である。
【図８】同じく電子メールの一例を示す説明図である。
【図９】同じく電子メールの一例を示す説明図である。
【考案を実施するための形態】
【００１２】
本考案の両替機１は、例えば、千円札と５００円硬貨とを１００円硬貨へ両替するもので、両替パターンとしては、１０００円札を１００円硬貨１０枚に両替するパターンと、５００円硬貨を１００円硬貨５枚に両替するパターンとを有している。
【００１３】
両替機１は、図３に示されるように、ユーザーの操作に基づいて両替作業を行う各種機器を備えた両替機本体１１と、各種機器の作動状態を監視し、各種機器の作動状態にエラーが発生した際や、セキュリティ上の不具合を検知した際に、エラー情報やセキュリティ上の不具合情報を有線ＬＡＮ３１及びルーター４１を介してインターネット５１上に電子メールで送信する通信ボックス２１とを備えており、インターネット５１上に送信された電子メールは、管理者が所有する端末装置６１に送信される。
【００１４】
両替機本体１１は、図１及び図２に示されるように、転倒を防止するためのベース板１１ａの上に、直方体状のキャビネット１１ｂが設置され、該キャビネット１１ｂの前面には、ドア１１ｃが開閉可能に設けられている。ドア１１ｃの前面には、硬貨投入口１２ａと、紙幣投入口１２ｂと、両替可能な時に点灯する両替中ランプ１２ｃと、両替できない時に点灯する中止ランプ１２ｄと、投入硬貨が詰まった時に回して硬貨を返却させる返却レバー１２ｅと、両替された硬貨が排出されるとともに、投入された不良硬貨が返却される硬貨取出口１２ｆと、ドアキーを差し込んで施錠及び解錠を行うための鍵穴１２ｇとが設けられている。
【００１５】
キャビネット１１ｂの内部には、１００円硬貨を収納するコンテナ１３ａと、該コンテナ１３ａに接続され１００円硬貨を硬貨取出口１２ｆに払出すホッパ１３ｂと、投入された紙幣を識別、収納するとともに、識別できなかった紙幣を返却する紙幣識別機１３ｃと、両替作業のコントロールを行うコントロールユニット１４とを備えている。また、ドア１１ｃの裏面には、ドアの開閉を検知する警報用マイクロスイッチ１５ａ（センサ）と、ドアキーの操作により施錠及び解錠される鍵１５ｂと、投入された硬貨の選別を行う硬貨選別機１５ｃとを備え、さらに、キャビネット１１ｂの傾きを検知するセンサ（図示せず）を備えている。
【００１６】
コントロールユニット１４は、図４に示されるように、電源スイッチ１４ａと、警報スイッチ１４ｂと、表示部１４ｃと、表示部１４ｃの表示内容を切り替える複数の切替えボタンと、最後に入れた金種が点灯する金種ＬＥＤ１４ｄ，１４ｄ，１４ｄと、ホッパ１３ｂを強制的に作動させるホッパ手動スイッチ１４ｅとを備えている。
【００１７】
表示部１４ｃは、両替開始時には１００円硬貨の払出枚数を表示し、払出が終了すると０と表示する。また、メンテナンス時には、払出枚数及び受入枚数を表示し、さらに、両替機本体１１の異常を検知した際には、エラーコードを表示する。前記切替えボタンは、１００円硬貨の払出合計枚数を表示する払出確認ボタン１４ｆと、紙幣と硬貨の受入合計枚数を交互に表示する受入確認ボタン１４ｇと、両替機能からメンテナンス機能に切り替えるチェックボタン１４ｈと、メモリに保存された受入合計枚数及び払出合計枚数をそれぞれ０枚にクリアするメモリクリアボタン１４ｉと、全ての作動を中止して初期状態に戻すリセットボタン１４ｊとを備えている。また、エラーコードは、図５に示されるように設定されており、エラーコードに応じた処置要領がコード表やマニュアル等で周知されている。
【００１８】
警報スイッチ１４ｂは、「入」状態とすることで、ドア１１ｃを閉めずにドアキーを抜いた際や、両替機本体１１が激しい振動を受けたり、両替機本体１１が４５度以上傾いたりしてセンサが反応した際等に、警報ブザーが鳴るように設定されている。
【００１９】
通信ボックス２１は、２４時間３６５日体制で、両替機本体１１の各種機器の作動状態やセキュリティ状態を確認するために、ポーリング信号を所定間隔で前記コントロールユニット１４に送信し、エラー情報の有無やセキュリティ状態を監視する。エラーやセキュリティ上の不具合を検知した際には、エラー情報やセキュリティ上の不具合情報は、有線ＬＡＮ３１及びルーター４１を介してインターネット５１を経由して、任意の端末装置６１に電子メールで通知される。任意の端末装置６１は、例えば、チェーン店の本部に設置されたパソコンや、店舗のオーナー及び現場のサポート員が携帯している携帯電話やスマートフォン等で、居場所の異なる複数の管理人に同時に両替機本体１１の状況が通知される。
【００２０】
次に、通信ボックス２１とコントロールユニット１４との通信シーケンスの一例を図６に示す。例えば、ステップＳ１において、通信ボックス２１からポーリング信号がコントロールユニット１４に送信される。このポーリング信号を受信して、コントロールユニット１４は、ステップ２において、エラー番号：０，累計払出枚数：１０００枚（１００円硬貨の累計払出枚数）というポーリング応答信号を送信する。ユーザーによる新たな操作がない限り、所定間隔で送信されるポーリング信号に対して同様のポーリング応答信号の送信が繰り返される。
【００２１】
ユーザーが１０００円札を１００円硬貨１０枚に両替する操作を行った後、ステップ３でポーリング信号がコントロールユニット１４に送信されると、コントロールユニット１４は、ステップ４で、エラー番号：０，累計払出枚数：１０１０枚というポーリング応答信号を送信する。ここで、１００円硬貨の累計払出枚数が、予め設定した枚数を超えた場合、ステップ５で、通信ボックス２１から有線ＬＡＮ３１及びルーター４１を介してインターネット５１を経由して、任意の端末装置６１に電子メールが送信され、１００円硬貨の累計払出枚数が設定枚数を超え、残り枚数が少なくなっていることを通知する。ユーザーによる新たな操作がなく、１００円硬貨の補充がない限り、所定間隔で送信されるポーリング信号に対して同様のポーリング応答信号の送信が繰り返される。
【００２２】
ユーザーが１０００円札を１００円硬貨１０枚に両替する操作を行い、硬貨詰まりが発生し、６枚の１００円硬貨しか硬貨取出口１２ｆに排出されないエラーが生じた際には、ステップ６でポーリング信号がコントロールユニット１４に送信されると、コントロールユニット１４は、ステップ７で、エラー番号：７，累計払出枚数１０１６というポーリング応答信号を送信する。エラーが確認されると、ステップ８で通信ボックス２１から有線ＬＡＮ３１及びルーター４１を介してインターネット５１を経由して、任意の端末装置６１に電子メールが送信され、硬貨詰まりが発生したことが通知され、エラーが解消されない限り、所定間隔で送信されるポーリング信号に対して同様のポーリング応答信号の送信が繰り返される。
【００２３】
通知を受けて、ステップ９で、サポート員が両替機本体１１の設置場所に赴き、エラーを解除する。エラー解除後にステップ１０でポーリング信号がコントロールユニット１４に送信されると、コントロールユニット１４は、ステップ１１で、エラー番号：０，累計払出枚数：１０１６枚というポーリング応答信号を送信する。
【００２４】
電子メールの設定は任意に設定すればよく、例えば、図７に示されるように、１００円硬貨の残り枚数が、設定されている５０００枚の半数を切った際には、通信ボックス２１から残り枚数が通知され、図８に示されるように、紙幣詰まりが発生した際には、エラー発生情報とエラーコードとが通知される。さらに、図９に示されるように、扉のこじ開けが発生した際には、こじ開けの発生と状況の確認を促す電子メールが送信される。
【００２５】
本考案の両替機１は、上述のように、両替機本体１１の作動状態にエラーが発生した際に、通信ボックス２１を介してインターネット５１を経由してチェーン店の本部に設置されたパソコンや、店舗のオーナー及び現場のサポート員が携帯している携帯電話等の端末装置６１にエラー情報が同時に送信され、本部、オーナー、サポート員等の管理者は、送られてきたエラー情報に基づいて遠隔からの適切な保守サポートを行うことができる。
【００２６】
また、両替機本体１１がこじ開けられたり、傾けられたりして窃盗行為が検知された際には、両替機本体１１に取り付けられた警報用マイクロスイッチ１５ａやセンサが反応することにより、通信ボックス２１を介して警報用マイクロスイッチ１５ａやセンサの反応情報が、インターネット５１を経由して、チェーン店の本部に設置されたパソコンや、店舗のオーナー及び現場のサポート員が携帯している携帯電話等の端末装置６１に同時に送信され、本部、オーナー、サポート員等の管理者は、送られてきた情報に基づいて、状況の確認や警察に通報する等の盗難回避処置を行うことができる。
【００２７】
なお、本考案は上述の形態例に限るものではなく、端末装置の台数や設置位置等は任意である。また、両替機本体の各種機器の構造も上述の形態例に限るものではなく、両替のパターンも任意である。
【符号の説明】
【００２８】
１…両替機、１１…両替機本体、１１ａ…ベース板、１１ｂ…キャビネット、１１ｃ…ドア、１２ａ…硬貨投入口、１２ｂ…紙幣投入口、１２ｃ…両替中ランプ、１２ｄ…中止ランプ、１２ｅ…返却レバー、１２ｆ…硬貨取出口、１２ｇ…鍵穴、１３ａ…コンテナ、１３ｂ…ホッパ、１３ｃ…紙幣識別機、１４ａ…電源スイッチ、１４ｂ…警報スイッチ、１４ｃ…表示部、１４ｄ…金種ＬＥＤ、１４ｅ…ホッパ手動スイッチ、１４ｆ…払出確認ボタン、１４ｇ…受入確認ボタン、１４ｈ…チェックボタン、１４ｉ…メモリクリアボタン、１４ｊ…リセットボタン、１５ａ…警報用マイクロスイッチ、１５ｂ…鍵、１５ｃ…硬貨選別機、２１…通信ボックス、３１…有線ＬＡＮ、４１…ルーター、５１…インターネット、６１…端末装置
【図１】
0003226669.tif 000003
【図２】
0003226669.tif 000004
【図３】
0003226669.tif 000005
【図４】
0003226669.tif 000006
【図５】
0003226669.tif 000007
【図６】
0003226669.tif 000008
【図７】
0003226669.tif 000009
【図８】
0003226669.tif 000010
【図９】
0003226669.tif 000011